(57)【要約】    【課題】  試料水に応じた適切なＣＯＤ換算式を用いることができるようにする。    【解決手段】  ＣＯＤ測定装置の演算処理部のＣＯＤ換算式保持部２０は複数波長での吸光度に重み付け係数をかけて一次結合した総合的吸光度とＣＯＤ値との関係を示すＣＯＤ換算式を保持し、換算部２２はそのＣＯＤ換算式を用いて換算ＣＯＤ値を求めて出力する。好ましくは、ＣＯＤ換算式算出部２６が総合的吸光度と試料水についての実測ＣＯＤ値との関係からＣＯＤ換算式を算出し、相関関係算出部２８はＣＯＤ換算式算出部２６が算出した複数のＣＯＤ換算式についてそれぞれの相関関係を算出する。その場合、ＣＯＤ換算式保持部２０はＣＯＤ換算式算出部２６で算出されたＣＯＤ換算式のうち相関関係の最も優れたものをその試料水についてのＣＯＤ換算式として保持する。【選択図】      図２
2006133044.tif 000002
【特許請求の範囲】
【請求項１】
試料水の紫外領域での吸光度とＣＯＤ値との関係を示すＣＯＤ換算式を用意しておき、試料水の紫外領域での吸光度を測定して前記ＣＯＤ換算式からＣＯＤ値を求めるＣＯＤ測定方法において、
紫外領域で試料水のＣＯＤ成分測定用吸光度を測定する波長として複数の波長を設定し、
前記ＣＯＤ換算式として、それら複数の波長での吸光度に重み付けを行なって一次結合した関数により求められる総合的吸光度とＣＯＤ値との関係を示すものを使用することを特徴とするＣＯＤ測定方法。
【請求項２】
前記吸光度には所定波長範囲での吸光度積分値を含む請求項１に記載のＣＯＤ測定方法。
【請求項３】
前記総合的吸光度は前記ＣＯＤ成分測定用波長による吸光度に加えて、濁度補正のための可視領域での波長による吸光度の一次結合も含んでいる請求項１に記載のＣＯＤ測定方法。
【請求項４】
測定対象となる試料水について複数の時間で前記波長での吸光度とＣＯＤ値の測定を行ない、
前記ＣＯＤ成分測定用波長での吸光度の重み付けを異ならせて作成した複数の総合的吸光度と実測ＣＯＤ値との関係を示す複数のＣＯＤ換算式を求め、
それらの複数のＣＯＤ換算式のうち、相関関係が最も優れたものをその試料水のＣＯＤ換算式とする請求項１から３のいずれかに記載のＣＯＤ測定方法。
【請求項５】
相関関係の優劣の判断として、相関係数の優劣を用いる請求項４に記載のＣＯＤ測定方法。
【請求項６】
相関関係の優劣の判断として、換算ＣＯＤ値と実測ＣＯＤ値との相対誤差の優劣を用いる請求項４又は５に記載のＣＯＤ測定方法。
【請求項７】
紫外領域の波長を含む光を発生する光源、試料水中に前記光源からの光を透過させる測定セル、前記測定セルを透過した光を受光し検出する検出器、及び前記検出器の検出信号に基づく吸光度信号から試料水のＣＯＤ値を求める演算処理部を備えたＣＯＤ測定装置において、
前記光源は紫外領域の複数の波長を含む光を発生するものであり、
前記検出器は紫外領域の複数の波長の光を検出するものであり、
前記演算処理部は、前記検出器が検出する複数の波長での検出値に基づく吸光度に重み付け係数をかけて一次結合した総合的吸光度とＣＯＤ値との関係を示すＣＯＤ換算式を保持しているＣＯＤ換算式保持部と、
前記検出器が検出した複数の波長での検出値に基づく吸光度を前記ＣＯＤ換算式保持部に保持されているＣＯＤ換算式に適用して換算ＣＯＤ値を求めて出力する換算部と、を備えていることを特徴とするＣＯＤ測定装置。
【請求項８】
前記ＣＯＤ換算式中の総合的吸光度は紫外領域のＣＯＤ成分測定用波長での吸光度に加えて、濁度補正のための可視領域での波長による吸光度の一次結合も含んでいる請求項７に記載のＣＯＤ測定装置。
【請求項９】
前記演算処理部は、前記検出器が検出した複数の波長での検出値に基づく吸光度による総合的吸光度と試料水についての実測ＣＯＤ値との関係からＣＯＤ換算式を算出するとともに、そのＣＯＤ換算式の算出を前記重み付け係数の複数の組について行なうＣＯＤ換算式算出部と、
前記ＣＯＤ換算式算出部が算出した複数のＣＯＤ換算式についてそれぞれの相関関係を求める相関関係算出部と、をさらに備え、
前記ＣＯＤ換算式保持部は前記ＣＯＤ換算式算出部で算出されたＣＯＤ換算式のうち前記相関関係算出部で求めた相関関係の最も優れたものをその試料水についてのＣＯＤ換算式として保持するものである請求項７又は８に記載のＣＯＤ測定装置。
【請求項１０】
前記相関関係算出部は、相関関係として相関係数を算出する請求項９に記載のＣＯＤ測定装置。
【請求項１１】
前記相関関係算出部は、相関関係としてそれぞれのＣＯＤ換算式により求められる換算ＣＯＤ値と実測ＣＯＤ値との相対誤差を算出する請求項９又は１０に記載のＣＯＤ測定装置。
【発明の詳細な説明】
【技術分野】
【０００１】
本発明は、排水や環境水の紫外線（∪∨）吸光度とＣＯＤ（化学的酸素消責量）測定値との相関関係を前提としてＵＶ値をＣＯＤ値に換算するＣＯＤ換算式（回帰式）を作成し、これに基づき試料水について測定したＵＶ値から換算ＣＯＤ値を得るＣＯＤ測定方法及び装置に関する。
ＣＯＤはＢＯＤ（生物学的酸素要求量）を含むものとして扱う。
【背景技術】
【０００２】
日本工業規格（ＪＩＳ）は、水質監視用紫外線吸光度自動計測器を定めており、ＵＶ測定値がＣＯＤと相関付けられて水質総量規制に係る水質汚濁負荷量の演算等に用いられている（非特許文献１参照。）。
【０００３】
ＣＯＤ測定には図６に示されるような吸光光度計が使用される。低圧水銀ランプなどの光源１からの光が測定セル２に照射される。測定セル２は一定の光路長の空間に試料を導き、光源１からの光を透過させる。測定セルを透過した光は干渉フィルタ３を透過して特定の波長、例えば２５４ｎｍが選択され、検出器４で検出され、その検出信号が増幅器５で吸光度に変換される。
【０００４】
ＣＯＤ成分は主に有機物であり、紫外線を吸収するものが多い特性を利用して、紫外領域の特定波長（通常は２５４ｎｍ）の吸光度と別途求めたＣＯＤ測定値との相関関係を調べてＣＯＤ換算式を作成し、吸光度からＣＯＤ値に換算している。
また、水中の濁りは可視光域のものであることが多いことを利用して、紫外線の吸光度と同時に可視光（通常は５４６ｎｍ）の吸光度を測定し、紫外線吸光度と可視光吸光度の差吸光度を使用することで試料水中の濁りの影響を除く方法もある。
【０００５】
ＣＯＤ換算式として、一次回帰式
Ｙ＝ａ＋ｂＸ
（Ｙ：換算ＣＯＤ値、Ｘ：ＵＶ吸光度値又は差吸光度値、ａ：切片、ｂ：勾配）
が使用される。
【特許文献１】ＪＩＳ  Ｋ０８０７
【特許文献２】「水質総量規制の測定実務ハンドブック」１５３〜１６２頁、斎藤孝夫著、株式会社環境公害新聞社、昭和５６年２月２０日発行
【発明の開示】
【発明が解決しようとする課題】
【０００６】
しかしながら、図７〜図９に示されるように、有機化合物及び無機化合物の紫外領域での吸収スペクトルは物質により大きく異なる。よく使用される２５４ｎｍにおいても、吸光度が大きいものもあれば小さいものもあり、ほとんど吸光度がないものもある（表１参照。）。
【０００７】
【表１】
2006133044.tif 000003
通常、試料水中に含まれる物質は多様であり、また、試料水によって物質の組成が異なる。そのため、単一の紫外線波長における吸光度を用いたＣＯＤ換算式ではＣＯＤと良好な相関が得られないことがある。
本発明は、試料水に応じた適切なＣＯＤ換算式を用いることができるようにして、実際のＣＯＤ値に対して相対誤差の少ない換算ＣＯＤ値を得ることができるようにすることを目的とするものである。
【課題を解決するための手段】
【０００８】
図７〜図９の各種物質の吸収スペクトルから明らかなように、２５４ｎｍでの吸光度が小さくても他の波長で吸光度をもつ物質がある。この事実に基づき、本発明では、例えば、２５４ｎｍのほかに２２５ｎｍ、２７５ｎｍ、３００ｎｍというような複数（一般化してｍ個とする。）の波長での吸光度を同時に測定する。もちろん、吸光度を測定する波長はこれらに限らず、ＣＯＤに関係する物質（有機物であるか無機物であるかを問わない。）が吸収をもつ波長であれば他の波長でもよい。例えば、２４０ｎｍ付近の波長を用いれば、ＣＯＤ成分である亜硝酸イオン（ＮＯ２-）の感知が可能である。
また、測定する吸光度は単一波長での吸光度に限らず、所定の波長範囲の吸光度積分値も含む。
【０００９】
すなわち、本発明のＣＯＤ測定方法は、紫外領域で試料水のＣＯＤ成分測定用吸光度を測定する波長として複数の波長を設定し、ＣＯＤ換算式として、それら複数の波長での吸光度に重み付けを行なって一次結合した関数により求められる総合的吸光度とＣＯＤ値との関係を示すものを使用することを特徴とするものである。
ここで、吸光度には所定波長範囲での吸光度積分値も含む。
具体的に示すと、各波長の吸光度に重み付けの係数をかけて一次結合して得られる（２）式のｘを総合的吸光度と呼ぶ。（２）式では濁度補正用の可視領域の波長、例えば５４６ｎｍでの吸光度（Ｖｉｓ）を引いて濁度補正された総合的吸光度としている。このような濁度補正は好ましいことではあるが、必ずしも濁度補正をしなければならないというものではなく、濁度補正をしていない総合的吸光度を用いるものも本発明の範囲内である。
【００１０】
このような総合的吸光度ｘとＣＯＤ値との関係を示すＣＯＤ換算式として、例えば以下の（１）式を使用する。ただし、ＣＯＤ換算式はこれに限らず、他の一次式でもよく、二次式でもよい。
y=a+bx                             （１）
x=cl・Abl+c2・Ab2+……+ cm・Abm-Vis    （２）
ここで、Ａｂ１〜Ａｂｍ：各波長での吸光度
ｃｌ〜ｃｍ：紫外領域の各波長の吸光度に対する重み付け係数
【００１１】
ＣＯＤ換算式の決定は次のように行なう。
ｃｌ〜ｃｍの重み付け係数は予めいくつかの組合わせを用意し、装置に入力しておく。予め用意する重み付け係数の組ｃｌ〜ｃｍは、各廃水におけるＣＯＤ値と測定波長との相関関係を解析して求めておく。測定対象となる試料水について複数の時間で複数の波長での吸光度とＣＯＤ値の測定を行ない、ＣＯＤ成分測定用波長での吸光度の重み付けを異ならせて作成した複数の総合的吸光度と実測ＣＯＤ値との関係を示す複数のＣＯＤ換算式を求め、それらの複数のＣＯＤ換算式のうち、相関関係が最も優れたものをその試料水のＣＯＤ換算式とする。
相関関係の優劣の判断として、例えば相関係数の優劣と、換算ＣＯＤ値と実測ＣＯＤ値との相対誤差の優劣の一方又は両方を用いることができる。
【００１２】
本発明のＣＯＤ測定装置は、紫外領域の波長を含む光を発生する光源、試料水中に前記光源からの光を透過させる測定セル、前記測定セルを透過した光を受光し検出する検出器、及び前記検出器の検出信号に基づく吸光度信号から試料水のＣＯＤ値を求める演算処理部を備えており、前記光源は紫外領域の複数の波長を含む光を発生するものであり、前記検出器は紫外領域の複数の波長の光を検出するものである。そして、前記演算処理部は、前記検出器が検出する複数の波長での検出値に基づく吸光度に重み付け係数をかけて一次結合した総合的吸光度とＣＯＤ値との関係を示すＣＯＤ換算式を保持しているＣＯＤ換算式保持部と、前記検出器が検出した複数の波長での検出値に基づく吸光度をＣＯＤ換算式保持部に保持されているＣＯＤ換算式に適用して換算ＣＯＤ値を求めて出力する換算部とを備えている。
【００１３】
好ましくは、前記演算処理部は、前記検出器が検出した複数の波長での検出値に基づく吸光度による総合的吸光度と試料水についての実測ＣＯＤ値との関係からＣＯＤ換算式を算出するとともに、そのＣＯＤ換算式の算出を重み付け係数の複数の組について行なうＣＯＤ換算式算出部と、ＣＯＤ換算式算出部が算出した複数のＣＯＤ換算式についてそれぞれの相関関係を求める相関関係算出部とをさらに備えている。その場合、ＣＯＤ換算式保持部はＣＯＤ換算式算出部で算出されたＣＯＤ換算式のうち相関関係算出部で求められた相関関係の最も優れたものをその試料水についてのＣＯＤ換算式として保持する。ここで、相関関係算出部で求められる相関関係は、相関係数と相対誤差の一方又は両方である。
【発明の効果】
【００１４】
本発明のＣＯＤ測定方法及び装置では、ＣＯＤ換算式として、総合的吸光度とＣＯＤ値との関係を示すものを使用するので、従来のように紫外領域では１波長の吸光度を用いたＣＯＤ換算式に比べると、試料水に含まれる有機物の種類に応じて最適なＣＯＤ換算式を用いることが可能となり、ひいては、実際のＣＯＤ値に対して相対誤差の少ない換算ＣＯＤ値を得ることができる。
【００１５】
工場排水では原料、製品製造量などの変化により、初期の相関関係が変化してしまうことがある。相関関係が変化すればＣＯＤ換算式が最適なものではなくなり、精度の高い（信頼性の高い）ＣＯＤ換算値を得ることができなくなる。そこで、重み付け係数の組合わせを複数用意しておき、測定対象となる試料水について求めた複数のＣＯＤ換算式のうち、相関関係が最も優れたものをその試料水のＣＯＤ換算式として使用できるようにすれば、このような試料水の変化にも、また種々の試料水にも対処することができるようになる。
【発明を実施するための最良の形態】
【００１６】
図１はＣＯＤ測定装置として用いることのできる吸光光度計の一実施例を示したものである。
光源１としては紫外領域から可視領域にわたって連続スペクトルを出すものが好ましい。その一例は、キセノンランプである。しかし、光源はそれに限らず、紫外領域から可視領域にわたって複数の輝線スペクトルをもつ水銀ランプなどでもよい。ここでは、キセノンランプのように連続スペクトルを出すものを使用する。
測定セル２はフローセルであり、試料水を流すことができる。測定セル２は試料水中に光源１からの光を透過させるように、窓材又はセル全体が合成石英製である。
【００１７】
１４は連続スペクトルの光を分光する分光器を構成するグレーティング、例えば凹面回折格子である。測定セル２とグレーティング１４の間には分光器の入口スリットとなるアパーチャ１３が配置されている。グレーティングで分光された光を受光する位置にはフォトダイオードアレイ１５が配置され、フォトダイオードアレイ１５は複数の波長（例えば２２５ｎｍ、２５４ｎｍ、２７５ｎｍ、３００ｎｍ及び５４６ｎｍ）それぞれの強度を検出するように配置されている。グレーティング１４とフォトダイオードアレイ１５は検出器を構成している。
【００１８】
１６は演算・制御装置であり、演算・制御装置１６はフォトダイオードアレイ１５からのそれぞれの波長強度を読み取る電気回路、得られた波長強度からＣＯＤ値に換算する等の演算を行なう演算処理部、その演算処理部に数値や測定条件等を入力するための入力装置、測定した換算ＣＯＤ値を表示する表示装置、及びこのＣＯＤ測定装置内の各部の制御を行なう制御部を備えている。
【００１９】
図２は演算・制御装置１６に含まれる演算処理部の機能を示したものである。
２０はＣＯＤ換算式保持部であり、検出器が検出する複数の波長での検出値に基づく吸光度（Ａｂ１，Ａｂ２,…Ａｂｍ）に重み付け係数（ｃ１，ｃ２,…ｃｍ）をかけて一次結合した（２）式による総合的吸光度ｘとＣＯＤ値との関係を示すＣＯＤ換算式（（１式））を保持している。換算部２２は検出器が検出した複数の波長での検出値に基づく吸光度（Ａｂ１，Ａｂ２,…Ａｂｍ）をＣＯＤ換算式保持部２０に保持されているＣＯＤ換算式に適用して換算ＣＯＤ値を求めて出力する。
【００２０】
試料水に最適なＣＯＤ換算式をＣＯＤ換算式保持部２０が保持することができるようにするために、演算処理部は、検出器が検出した複数の波長での検出値に基づく吸光度（Ａｂ１，Ａｂ２,…Ａｂｍ）による総合的吸光度と試料水についての実測ＣＯＤ値との関係からＣＯＤ換算式を算出するとともに、そのＣＯＤ換算式の算出を重み付け係数の複数の組について行なうＣＯＤ換算式算出部２６と、ＣＯＤ換算式算出部２６が算出した複数のＣＯＤ換算式についてそれぞれの相関関係を求める相関関係算出部２８とをさらに備えている。ＣＯＤ換算式保持部２０はＣＯＤ換算式算出部２６で算出されたＣＯＤ換算式のうち相関関係算出部で求められた相関関係の最も優れたものをその試料水についてのＣＯＤ換算式として保持する。
２４は表示部であり、換算部２２が求めた換算ＣＯＤ値や、相関関係算出部２８が求めた相関係数や相対誤差を表示する。
【００２１】
図３を参照してＣＯＤ換算式を決定する手順を詳細に示す。
複数の採水時間を入力し設定する。最初の設定時間が到来すると、このＣＯＤ測定装置は採水を開始する。そして予め設定された複数の波長で測定を行ない、それぞれの波長の吸光度を求める。測定する波長は、ＣＯＤ測定用の紫外領域のｍ個と、濁度補正用の可視領域の１個である。一方、作業者はその時間にその試料水のＣＯＤ値を手分析で求めて入力する。ＣＯＤ手分析値は、例えば、ＪＩＳＫ０１０２に規定されているように、１００℃における過マンガン酸カリウムの消費量、２０℃における過マンガン酸カリウムの消費量、アルカリ性過マンガン酸カリウムの消費量又は二クロム酸カリウムの消費量として測定することができる。
設定された採水時間が終了するまで、各設定された採水時間で吸光度測定とＣＯＤ手分析入力が繰り返される。
【００２２】
設定された採水時間での吸光度測定とＣＯＤ手分析入力が終了すると、予め入力して設定されている重み付け係数の組（ｃ１１，ｃ１２，…ｃ１ｍ），（ｃ２１，ｃ２２，…ｃ２ｍ）…（ｃｎ１，ｃｎ２，…ｃｎｍ）を取り込む。それらの重み付け係数により、採水時間(t)ごとに、次の(３)式のようにｎ個の総合的吸光度（ｘ１(t)，ｘ２(t)，…ｘｎ(t)）が得られる。
x1(t)=c11・Abl(t)+c12・Ab2(t)・・・・・・・Abm(t)-Vis
x2(t)=c21・Abl(t)+c22・Ab2(t)・・・・・・・Abm(t)-Vis
……
xn(t)=cn1・Abl(t)+cn2・Ab2(t)・・・・・・・Abm(t)-Vis        （３）
Ａｂ１(t)〜Ａｂｍ(t)は採水時間(t)ごとのＣＯＤ測定用の紫外領域での各波長での吸光度、Ｖｉｓは濁度補正用の可視領域での吸光度である。
【００２３】
各採水時間におけるＣＯＤ手分析値と、各時間におけるそれぞれの重み付け係数の組を用いた総合的吸光度（ｘ１，ｘ２，…ｘｎ）との関係を図示すると図４（Ａ）〜（Ｃ）のように表わすことができる。これらのグラフは重み付け係数の組の数ｎだけ得られる。それぞれの関係において、例えば最小二乗法により回帰直線を求めることできる。回帰直線は
ｙ＝ａ＋ｂｘ                                          （４）
として一次式で表わすことができ、そのような回帰式が重み付け係数の組の数ｎだけ得られる。回帰式を図４（Ａ）〜（Ｃ）のそれぞれのグラフ中に直線として記入した。
【００２４】
次に、それぞれの重付き係数の組に関して相関関係を求める。相関関係の一例は相関係数である。相関係数ｒは次の(５)式により定義することができる。
【数１】
2006133044.tif 000004
ここでｙｉはある採水時点でのＣＯＤ手分析値、ｙバー（ｙの上に横棒のついたもの）はＣＯＤ手分析値の平均値、ｘｉはその採水時における総合的吸光度、ｘバー（ｘの上に横棒のついたもの）は総合的吸光度の平均値である。相関係数ｒに替えて重相関係数ｒ2を用いてもよい。
【００２５】
相関関係としては、相関係数に限らず、相対誤差を用いることもできる。相対誤差は、ｘがｘバーのとき、ｙの所定の信頼限界値、例えば９５％信頼限界値と回帰式上のｙバーとの差（Ａ）をｙバーで除したものをｘバーにおける相対誤差とすることができる（例えば、非特許文献２参照。）。
【００２６】
このようにして得られる相関係数の最も大きいもの、もしくは相対誤差の最も小さいもの、又はその両方の条件を最もよく満たすものを選ぶ。この選択は、このＣＯＤ測定装置が自動的に行なうようにしてもよく、又は相関係数もしくは相対誤差を表示し、ユーザーがマニュアルで選択するようにしてもよい。自動で選択するかマニュアルで選択するかはこのＣＯＤ測定装置に設定により選択可能とすればよい。
【００２７】
相関係数の最も大きいもの又は相対誤差の最も小さいものに該当する重み付け係数の組による総合的吸光度関数をｘｊとすると、そのｘｊを用いたＣＯＤ換算式は
ｙ=ａ+ｂｘｊ
となり、これがその試料水に最も適したＣＯＤ換算式となる。その換算式をＣＯＤ換算式保持部２０に保持する。
このような最適ＣＯＤ換算式を求める作業は、試料水が変わったときや一定時間が経過したときなどに行なって、使用するＣＯＤ換算式を最適なものに更新していくことが望ましい。
【００２８】
次に、このようにして決定されたＣＯＤ換算式を用いて実際の試料水の換算ＣＯＤ値を算出する手順を、図５を参照して説明する。
測定を開始するとこのＣＯＤ測定装置は、試料水を採水し、設定された複数の波長で吸光度が測定される。それらの吸光度がＣＯＤ換算式中の総合的吸光度に適用されて総合的吸光度が求められ、次にその総合的吸光度を用いてＣＯＤ換算式により換算ＣＯＤ値が算出される。得られた値が表示される。
【００２９】
上記の実施例では、各波長の重み付け係数は予め入力されて設定されているが、装置の入力装置により、任意の係数を入力できるようにしてよい。
また、重み付け係数を可変として、そのときのそれぞれの相関係数、相対誤差など、相関関係を示す数値を算出し、その中から最も相関関係のよいものを使用するようにしてもよい。その場合、例えば、実施例に示したような重み付け係数の組（ｃ１１，ｃ１２，…ｃ１ｍ），（ｃ２１，ｃ２２，…ｃ２ｍ）…（ｃｎ１，ｃｎ２，…ｃｎｍ）の各係数を１つずつ変化させていく。例えば、
（１）各係数を０．１から１まで０．１刻みで変化させていく。そして、
（２）ｃ１１からｃｎｍまでの各係数について、全ての組合せの場合について相関関係を求め、最もよいものを採用する。
さらに、ＣＯＤ換算式は１次近似であるが、高次近似（２次以上の近似）を用いてより相対誤差の少ないＣＯＤ換算式を求めることもできる。例えば、２次近似の場合、近似式は、
ｙ＝ａ＋ｂｘ＋ｃｘ2
となる。
近似する次元の変更は、このＣＯＤ測定装置内のプログラムにより設定を変更することで対応することができる。
【産業上の利用可能性】
【００３０】
本発明は、排水や環境水の紫外線吸光度を測定してＣＯＤ値を求めるオンラインＵＶ計などのＣＯＤ測定装置として利用することができる。
【図面の簡単な説明】
【００３１】
【図１】ＣＯＤ測定装置として用いることのできる吸光光度計の一実施例を示す概略構成図である。
【図２】同実施例の演算・制御装置に含まれる演算処理部の機能を示すブロック図である。
【図３】同実施例においてＣＯＤ換算式を決定する手順を示すフローチャート図である。
【図４】同実施例において重み付け係数の組ごとの相関関係を示す図である。
【図５】同実施例において換算ＣＯＤ値を算出する手順を示すフローチャート図である。
【図６】ＣＯＤ測定装置として用いることのできる従来の吸光光度計の一例を示す概略構成図である。
【図７】いくつかの有機化合物のスペクトルを表わすグラフである。
【図８】いくつかの有機化合物のスペクトルを表わすグラフである。
【図９】いくつかの無機化合物のスペクトルを表わすグラフである。
【符号の説明】
【００３２】
１      光源
２      測定セル
１４      グレーティング
１５      フォトダイオードアレイ
１６      演算・制御装置
２０      ＣＯＤ換算式保持部
２２      換算部
２４      教示部
２６      ＣＯＤ換算式算出部
２８      相関関係算出部
【図１】
2006133044.tif 000005
【図２】
2006133044.tif 000006
【図３】
2006133044.tif 000007
【図４】
2006133044.tif 000008
【図５】
2006133044.tif 000009
【図６】
2006133044.tif 000010
【図７】
2006133044.tif 000011
【図８】
2006133044.tif 000012
【図９】
2006133044.tif 000013